(57)【要約】【課題】外部機器の表示画面を表示しながら、該外部機器の操作に悪影響を及ぼすことなくプログラマブル表示器自体の操作が可能なプログラマブル表示器を得ることを目的とする。【解決手段】外部制御装置に対する操作を入力する手段と、外部制御装置との間で情報の入出力を行う手段と、操作指示情報および／または外部制御装置からの入力情報に対応して表示する画面の表示画面データを記憶する手段と、外部制御装置の動作状態のモニタ画面を表示するための情報および／または該外部制御装置に対する操作画面を表示するための情報を生成する手段と、外部機器からの出力表示画面を表示するための情報を取得する手段と、モニタ・操作画面情報と出力画面情報とを合成し、モニタ・操作画面における操作と外部機器の出力表示画面における操作とがともに可能な合成画面を表示するための情報を生成する手段と、該情報に基づいて合成画面を表示する手段と、を備える。【選択図】        図１
2007233459.tif 000002
【特許請求の範囲】
【請求項１】
接続された外部制御装置の動作状態を表示するとともに、該外部制御装置に対する操作を指示する操作指示情報を受け付けて該操作指示情報を前記外部制御装置に伝送するプログラマブル表示器であって、
前記外部制御装置に対する操作を指示する操作指示情報を入力する操作指示情報入力手段と、
前記外部制御装置との間で情報の入出力を行う情報入出力手段と、
前記操作指示情報および／または前記外部制御装置からの入力情報に対応して表示する画面の表示画面データを記憶する表示画面データ記憶手段と、
前記操作指示情報および／または前記外部制御装置からの入力情報と、前記表示画面データと、に基づいて、前記外部制御装置の動作状態のモニタ画面を表示するためのモニタ画面情報および／または該外部制御装置に対する操作画面を表示するための操作画面情報を生成するモニタ・操作画面情報生成手段と、
自装置に接続された外部機器からの出力表示画面を表示するための出力画面情報を取得する出力画面情報取得手段と、
前記モニタ・操作画面情報と前記出力画面情報とを合成し、前記モニタ・操作画面における操作と前記外部機器の出力表示画面における操作とがともに可能な合成画面を表示するための合成画面情報を生成する画面処理手段と、
前記合成画面情報に基づいて前記合成画面を表示する表示手段と、
を備えることを特徴とするプログラマブル表示器。
【請求項２】
前記出力画面情報が、パソコン端末から出力されるＲＧＢ信号であること
を特徴とする請求項１に記載のプログラマブル表示器。
【請求項３】
前記画面処理手段は、前記モニタ・操作画面情報と前記出力画面情報との合成処理の実行の有無を切り替え可能であり、且つ合成処理を実行しない場合に前記モニタ・操作画面情報または前記出力画面情報のいずれかのみを出力すること
を特徴とする請求項１に記載のプログラマブル表示器。
【請求項４】
前記画面処理手段は、自装置に接続された外部機器が発する合成切り替え制御情報に従って、前記モニタ・操作画面情報と前記出力画面情報との合成処理の実行の有無を切り替え可能であること
を特徴とする請求項３に記載のプログラマブル表示器。
【請求項５】
前記画面処理手段は、自装置が発する合成切り替え制御情報に従って、前記モニタ・操作画面情報と前記出力画面情報との合成処理の実行の有無を切り替え可能であること
を特徴とする請求項３に記載のプログラマブル表示器。
【請求項６】
前記合成切り替え制御情報は、前記操作指示情報入力手段により入力可能であること
を特徴とする請求項５に記載のプログラマブル表示器。
【請求項７】
前記画面処理手段は、前記外部機器からの出力表示画面を前記モニタ画面および／または前記操作画面の所定の透過色部分に合成すること
を特徴とする請求項１に記載のプログラマブル表示器。
【請求項８】
前記表示画面データは、設定、変更可能な情報であること
を特徴とする請求項１に記載のプログラマブル表示器。
【発明の詳細な説明】
【技術分野】
【０００１】
本発明は、プログラマブル表示器に関するものであり、特に、パソコン等の画面を表示しながらプログラマブル表示器自体の操作が可能なプログラマブル表示器に関するものである。
【背景技術】
【０００２】
従来、プログラマブル表示器においては、パソコンの画面をプログラマブル表示器で表示して、該プログラマブル表示器をパソコンのモニタ代わりに利用する機能（ＲＧＢ入力機能）が存在し、利用されている。
【０００３】
また、このような技術とは別に、複数の情報装置からのＲＧＢ画像を１台の表示装置に表示する技術が提案されている（たとえば、特許文献１参照）。また、コンポジット信号（ビデオ信号）と、ＲＧＢ信号とを同時に表示し、画面を集約し、テレビを見ながらパソコンを操作する技術が提案されている（たとえば、特許文献２参照）。
【０００４】
【特許文献１】特開２００３−２２１７７号公報
【特許文献２】特開昭６０−２５３３８９号公報
【発明の開示】
【発明が解決しようとする課題】
【０００５】
しかしながら、上記従来の技術によれば、ＲＧＢ入力機能によるパソコンの画面（以降、ＲＧＢ入力画面と称する）はプログラマブル表示器が提供する操作画面（以降、モニタ画面と称する）の表示と切換えて使用しなければならない。このため、ＲＧＢ入力画面の表示中は、プログラマブル表示器のモニタ画面を表示し、該画面を見ながら操作することはできない。すなわち、ＲＧＢ入力画面とモニタ画面とは、いずれか一方のみがアクティブな状態であり、ＲＧＢ入力画面とモニタ画面とにおいて各画面を共に操作することはできない。
【０００６】
そして、たとえばＲＧＢ入力画面を見ながらパソコンの操作を行っている最中にプログラマブル表示器等のアラーム機能によりＲＧＢ入力画面からモニタ画面に強制切り替えが生じる場合がある。このような強制切り替えが生じた場合には、パソコンでの操作も強制的に中断されてしまう。そして、所望の操作が行えないために、たとえばデータが保存されないまま終了されてしまうなど、意図しない処理が行われてユーザに不利益がもたらされる、という問題がある。
【０００７】
また、特許文献１の技術によれば、複数の入力を表示することはできるが、プログラマブル表示器の操作のためのスイッチなどを合成表示することはできず、また、複数の入力画面が共にアクティブな状態とすることはできない。同様に、特許文献２の技術においても、複数の入力を表示することはできるが、プログラマブル表示器の操作のためのスイッチなどを合成表示することはできず、また、複数の入力画面が共にアクティブな状態とすることはできない。
【０００８】
本発明は、上記に鑑みてなされたものであって、外部機器の表示画面を表示しながら、該外部機器の操作に悪影響を及ぼすことなくプログラマブル表示器自体の操作が可能なプログラマブル表示器を得ることを目的とする。
【課題を解決するための手段】
【０００９】
上述した課題を解決し、目的を達成するために、本発明にかかるプログラマブル表示器は、接続された外部制御装置の動作状態を表示するとともに、該外部制御装置に対する操作を指示する操作指示情報を受け付けて該操作指示情報を外部制御装置に伝送するプログラマブル表示器であって、外部制御装置に対する操作を指示する操作指示情報を入力する操作指示情報入力手段と、外部制御装置との間で情報の入出力を行う情報入出力手段と、操作指示情報および／または外部制御装置からの入力情報に対応して表示する画面の表示画面データを記憶する表示画面データ記憶手段と、操作指示情報および／または外部制御装置からの入力情報と、表示画面データと、に基づいて、外部制御装置の動作状態のモニタ画面を表示するためのモニタ画面情報および／または該外部制御装置に対する操作画面を表示するための操作画面情報を生成するモニタ・操作画面情報生成手段と、自装置に接続された外部機器からの出力表示画面を表示するための出力画面情報を取得する出力画面情報取得手段と、モニタ・操作画面情報と出力画面情報とを合成し、モニタ・操作画面における操作と外部機器の出力表示画面における操作とがともに可能な合成画面を表示するための合成画面情報を生成する画面処理手段と、合成画面情報に基づいて合成画面を表示する表示手段と、を備えることを特徴とする。
【発明の効果】
【００１０】
この発明によれば、外部制御装置の動作状態をモニタし、または外部制御装置を操作するモニタ・操作画面情報と、自装置に接続された外部機器からの出力画面情報と、を合成し、モニタ・操作画面における操作と前記外部機器の出力表示画面における操作とがともに可能な合成画面を表示するための合成画面情報を生成し、該合成画面情報に基づいて合成画面を表示する。これにより、外部機器の表示画面を表示しながら、該外部機器の操作に悪影響を及ぼすことなくプログラマブル表示器自体の操作が可能である、という効果を奏する。
【発明を実施するための最良の形態】
【００１１】
以下に、本発明にかかるプログラマブル表示器の実施の形態を図面に基づいて詳細に説明する。なお、本発明は以下の記述に限定されるものではなく、本発明の要旨を逸脱しない範囲において適宜変更可能である。
【００１２】
実施の形態．
図１は、本発明の実施の形態にかかるプログラマブル表示器の概略構成を示す図である。本実施の形態にかかるプログラマブル表示器１００は、図１に示すように、自プログラマブル表示器１００に接続されたプログラマブルコントローラ（ＰＬＣ）等の外部制御装置２００の動作状態を表示するとともに、該外部制御装置２００に対する操作を指示する操作指示情報をユーザ（オペレータ）から受け付けて該操作指示情報を外部制御装置２００に伝送するプログラマブル表示器である。そして、ユーザが機器を操作するスイッチ類や接続された機器の状態を表示する表示部品を配置したモニタ画面を自由に設計できるプログラマブル表示器である。
【００１３】
本実施の形態にかかるプログラマブル表示器１００は、図１に示すように、タッチパネル１０１と、外部入出力部１０２と、画面設定データ記憶部１０３と、ＲＧＢ信号入力部１０４と、入力表示制御部１０５と、描画コントローラ部１０６と、画像メモリ１０７と、ＬＣＤ（Liquid Crystal Display）１０８と、を備えて構成されている。
【００１４】
タッチパネル１０１は、外部制御装置２００に対する操作を指示する操作指示情報を入力する操作指示情報入力手段である。ユーザがこのタッチパネル１０１を用いて行った入力情報（操作情報）は、入力表示制御部１０５に入力される。
【００１５】
外部入出力部１０２は、外部に接続した外部制御装置２００との間で情報の入出力を行う情報入出力手段である。
【００１６】
画面設定データ記憶部１０３は、操作指示情報および／または外部制御装置２００からの入力情報に対応して表示する画面の表示画面データを記憶する表示画面データ記憶手段である。この表示画面データとしては、画面のレイアウト情報、入力に対する制御情報、描画制御に関する設定、などのデータが記憶されている。これらの、表示画面データは、ユーザにより設定、変更可能なユーザデータである。
【００１７】
ＲＧＢ信号入力部１０４は、外部に接続したパソコン３００等の計算装置からの出力画面を表示するための画面情報としてＲＧＢ信号をパソコン３００から取得する出力画面情報取得手段である。また、パソコン３００から取得したＲＧＢ信号は、アナログ信号であるため、ＲＧＢ信号入力部１０４は取得したＲＧＢ信号をアナログ信号からデジタル信号に変換し、描画コントローラ部１０６に出力する。
【００１８】
入力表示制御部１０５と描画コントローラ部１０６とは、操作指示情報および／または外部制御装置２００からの入力情報と、表示画面データと、に基づいて、外部制御装置２００の動作状態のモニタ画面を表示するためのモニタ画面情報および／または該外部制御装置２００に対する操作画面を表示するための操作画面情報を生成するモニタ・操作画面情報生成手段である。
【００１９】
また、描画コントローラ部１０６は、モニタ・操作画面情報と出力画面情報とを合成し、プログラマブル表示器１００のモニタ・操作画面における操作とパソコン３００の出力表示画面における操作とがともに可能な合成画面を表示するための合成画面情報を生成する画面処理手段としての機能も兼ねている。
【００２０】
ここで、入力表示制御部１０５は、タッチパネル１０１から入力された入力情報（操作情報）と、画面設定データ記憶部１０３に記憶された表示画面データと、に基づいて、プログラマブル表示器のモニタ画面として表示する画面の描画の開始、更新を描画コントローラ部１０６に指示する。
【００２１】
描画コントローラ部１０６は、入力表示制御部１０５の指示に従ってプログラマブル表示器のモニタ画面として表示する画面の描画の開始、更新を実行し、プログラマブル表示器のモニタ画面を表示するためのモニタ画面情報を生成する。また、描画コントローラ部１０６は、生成したモニタ画面情報と、デジタル信号に変換されてＲＧＢ信号入力部１０４から出力されたＲＧＢ信号と、を合成し、モニタ・操作画面における操作とパソコン３００の出力表示画面における操作とがともに可能な合成画面を表示するための合成画面情報を生成する。
【００２２】
また、描画コントローラ部１０６は、画面合成を行わない場合は、ＲＧＢ信号をそのまま画像メモリ１０７に出力する。また、生成したモニタ画面情報をそのまま画像メモリ１０７に出力する。
【００２３】
画像メモリ１０７は、描画コントローラ部１０６で生成した合成画面情報を一時的に記憶する。
【００２４】
ＬＣＤ１０８は、画像メモリ１０７に一時的に記憶された合成画面情報が入力され、該合成画面情報に基づいて合成画面を表示する表示手段である。なお、ここでは説明は省略するが、ＬＣＤ１０８における表示処理は専用のＬＣＤコントローラにより制御される。また、タッチパネル１０１はＬＣＤ１０８に備えられている。
【００２５】
以上のように構成された本実施の形態にかかるプログラマブル表示器１００における処理について説明する。まず、ＬＣＤ（Liquid Crystal Display）１０８には、外部制御装置２００の動作状態（制御状態）と該外部制御装置に対する操作スイッチが画像表示されたモニタ・操作画面が表示されている。
【００２６】
この状態では、外部入出力部１０２を介して外部制御装置２００から該外部制御装置２００における動作状態（制御状態）の状態情報が入力されている。この状態情報は、入力表示制御部１０５に入力され、入力表示制御部１０５では、この状態情報と、画面設定データ記憶部１０３に記憶された表示画面データと、に基づいて、プログラマブル表示器のモニタ画面として表示する画面の描画の開始、更新を描画コントローラ部１０６に指示する。
【００２７】
描画コントローラ部１０６は、入力表示制御部１０５の指示に従ってプログラマブル表示器のモニタ画面として表示する画面の描画の開始、更新を実行し、プログラマブル表示器のモニタ・操作画面を表示するためのモニタ・操作画面情報を生成する。そして、生成したモニタ・操作画面情報をそのまま画像メモリ１０７に出力する。
【００２８】
画像メモリ１０７は、モニタ・操作画面情報を一時的に記憶するとともに該モニタ・操作画面情報をＬＣＤ１０８に出力し、ＬＣＤ１０８では該モニタ・操作画面情報に基づいてプログラマブル表示器１００のモニタ・操作画面を表示、または画面更新する。
【００２９】
ここで、ユーザ（オペレータ）が、外部制御装置２００に対する操作を指示する操作指示情報をタッチパネル１０１を用いて入力すると、この入力情報（操作情報）は、入力表示制御部１０５に入力される。また、入力情報（操作情報）は、外部入出力部１０２を介して外部制御装置２００に出力される。
【００３０】
入力表示制御部１０５では、この操作情報と、画面設定データ記憶部１０３に記憶された表示画面データと、に基づいて、プログラマブル表示器のモニタ画面として表示する画面の描画の更新を描画コントローラ部１０６に指示する。
【００３１】
描画コントローラ部１０６は、入力表示制御部１０５の指示に従ってプログラマブル表示器のモニタ画面として表示する画面の描画の更新を実行し、プログラマブル表示器のモニタ・操作画面を表示するためのモニタ・操作画面情報を生成する。そして、生成したモニタ・操作画面情報をそのまま画像メモリ１０７に出力する。
【００３２】
画像メモリ１０７は、モニタ・操作画面情報を一時的に記憶するとともに該モニタ・操作画面情報をＬＣＤ１０８に出力し、ＬＣＤ１０８では該モニタ・操作画面情報に基づいてプログラマブル表示器１００のモニタ・操作画面を更新する。したがって、この状態においては、ＬＣＤ１０８に外部制御装置２００の動作状態（制御状態）と該外部制御装置に対する操作スイッチが画像表示され、外部制御装置２００の動作状態（制御状態）をモニタすることができ、また、外部制御装置２００に対する操作を行うことができる。
【００３３】
つぎに、この状態からパソコン３００の出力画面をＬＣＤ１０８に表示してパソコンでの作業を行う場合について説明する。この場合は、表示切り替え機能によりＬＣＤ１０８の表示をパソコン３００の出力画面に切り換える。
【００３４】
このとき、ＲＧＢ信号入力部１０４がパソコン３００のからの出力画面を表示するための画面情報としてＲＧＢ信号をパソコン３００から取得する。また、パソコン３００から取得したＲＧＢ信号は、アナログ信号であるため、ＲＧＢ信号入力部１０４は取得したＲＧＢ信号をアナログ信号からデジタル信号に変換し、描画コントローラ部１０６に出力する。
【００３５】
描画コントローラ部１０６は、ＲＧＢ信号をそのまま画像メモリ１０７に出力する。画像メモリ１０７は、ＲＧＢ信号を一時的に記憶するとともに該ＲＧＢ信号をＬＣＤ１０８に出力し、ＬＣＤ１０８では該ＲＧＢ信号に基づいてパソコン３００の出力画面を表示し、更新する。そして、この状態においては、ＬＣＤ１０８にパソコン３００の出力画面を表示して、パソコンの操作を行うことができる。
【００３６】
つぎに、このようにＬＣＤ１０８にパソコン３００の出力画面を表示してパソコンの操作を行っている状態において、たとえば外部制御装置２００の動作状態（制御状態）に異常状態等が生じて外部制御装置２００からアラーム信号が送信された場合について説明する。このアラーム信号は、外部入出力部１０２、入力表示制御部１０５を介して描画コントローラ部１０６に入力される。
【００３７】
描画コントローラ部１０６では、このアラーム信号に従って、パソコン３００の出力画面とプログラマブル表示器１００のモニタ・操作画面とを合成し、モニタ・操作画面における操作とパソコン３００の出力表示画面における操作とがともに可能な合成画面を生成する。なお、本発明における合成画面は、パソコン３００の出力表示画面の上にプログラマブル表示器１００のモニタ・操作画面を重ねたイメージであるが、単に重ねるのではなく、あくまで二つの画面を合成するものである。
【００３８】
具体的には、描画コントローラ部１０６は、上述したモニタ画面情報と、デジタル信号に変換されてＲＧＢ信号入力部１０４から出力されたＲＧＢ信号と、を合成し、モニタ・操作画面における操作とパソコン３００の出力表示画面における操作とがともに可能な合成画面を表示するための合成画面情報を生成する。生成したモニタ・操作画面情報をそのまま画像メモリ１０７に出力する。
【００３９】
画像メモリ１０７は、合成画面情報を一時的に記憶するとともに該合成画面情報をＬＣＤ１０８に出力し、ＬＣＤ１０８では該合成画面情報に基づいて合成画面を表示する。
【００４０】
このようにしてＬＣＤ１０８に表示された合成画面は、プログラマブル表示器１００のモニタ・操作画面における操作とパソコン３００の出力表示画面における操作とがともに可能な画面とされている。図２−１〜図２−３は、本発明における画面合成のイメージを説明するための模式図である。本発明においては、たとえば図２−１に示すようなパソコン３００の出力表示画面と図２−２に示すようなプログラマブル表示器１００のモニタ・操作画面とを合成することにより、図２−３に示すようなパソコン３００の出力表示画面とプログラマブル表示器１００のモニタ・操作画面との合成画面を作成、表示することができる。
【００４１】
このとき、パソコン３００の出力表示画面は、プログラマブル表示器１００のモニタ・操作画面における特定色、たとえば透過色領域に対して合成をおこなう。このため、モニタ・操作画面設計時に、合成用の特定色以外で作った部分は、パソコン３００の出力表示画面と同時にＬＣＤ１０８に表示可能である。一例として、パソコン３００の出力表示画面は、プログラマブル表示器１００のモニタ・操作画面において配置された、接続された機器の状態を表示する表示部品４０２やユーザが操作するスイッチ類４０３が存在しない、透過色領域４０１に重なるように合成される。
【００４２】
このような合成を行うことにより、図２−３に示すようにパソコン３００の出力表示画面の画像と、プログラマブル表示器１００のモニタ・操作画面において配置された、表示部品４０２やスイッチ類４０３とが重なることなく、合成画面を作成することができる。パソコン３００の操作をする際にも、表示部品４０２の確認やスイッチ類４０３の操作においても支障が生じない。なお、プログラマブル表示器１００のモニタ・操作画面における表示部品４０２やスイッチ類４０３の配置を設定する際にこれらの配置位置について多少の考慮は必要である。
【００４３】
また、本発明においては、必ずしもパソコン３００の出力表示画面の画像と、プログラマブル表示器１００のモニタ・操作画面において配置された、表示部品４０２やスイッチ類４０３とが重ならないように合成する必要はない。たとえば図３−１に示すようなパソコン３００の出力表示画面と図３−２に示すようなプログラマブル表示器１００のモニタ・操作画面とを合成することにより、図３−３に示すようなパソコン３００の出力表示画面とプログラマブル表示器１００のモニタ・操作画面との合成画面を作成、表示することができる。図３−３に示す合成画面においては、表示部品４１０がパソコン３００の出力表示画面の画像とが一部重なった状態にある。パソコン３００の出力表示画面として特定のレイアウトの画面を使用する頻度が高く、画像の一部が重なっても大きな影響がない場合などには、このような合成を行うことも可能である。
【００４４】
また、本実施の形態にかかるプログラマブル表示器１００においては、上記のようなアラーム信号以外にも、外部制御装置２００から送信された合成切り替え制御情報に従って、パソコン３００の出力表示画面とプログラマブル表示器１００のモニタ・操作画面との合成との合成処理の実行の有無を切り替えが可能である。
【００４５】
また、本実施の形態にかかるプログラマブル表示器１００においては、自装置が発する合成切り替え制御情報に従っても、パソコン３００の出力表示画面とプログラマブル表示器１００のモニタ・操作画面との合成との合成処理の実行の有無を切り替えが可能である。たとえば、手動で合成処理の実行の有無を切り替えを可能とし、プログラマブル表示器１００のモニタ・操作画面や他の部位に合成処理の実行の切り替えスイッチを設けた構成とすること可能である。この場合には、上記のようなアラーム信号が入力された際にウィンドウによりアラームを画面上に表示し注意を喚起するにとどめ、ユーザ自身が合成処理の実行の切り替えスイッチを操作してパソコン３００の出力表示画面から合成画面に移行することも可能である。
【００４６】
以上のような本実施の形態にかかるプログラマブル表示器１００によれば、プログラマブル表示器１００のモニタ・操作画面における操作とパソコン３００の出力表示画面における操作とがともに可能な合成画面が合成される。すなわち、ＬＣＤ１０８にパソコン３００出力表示画面の表示画面を表示しながら、プログラマブル表示器１００のモニタ・操作画面における情報を得ることができ、さらにパソコン３００の操作に悪影響を及ぼすことなくプログラマブル表示器自体の操作が可能であり、また、パソコン３００の操作も可能である。
【００４７】
したがって、ＬＣＤ１０８をパソコン３００のモニタとして利用中にも必要に応じて合成画面を表示することにより、プログラマブル表示器１００のモニタ・操作画面を通じて機器を制御することができる。
【００４８】
また、合成画面は、パソコン３００の出力表示画面とプログラマブル表示器１００のモニタ・操作画面とが共にアクティブな状態とされているため、従来のようにパソコン３００の出力表示画面からプログラマブル表示器１００のモニタ・操作画面への強制切り替えに伴ってパソコン３００での操作が強制的に中断されることがない。これにより、従来、生じていたパソコン３００の処理において意図しない処理が行われて、ユーザに不利益がもたらされる、という問題も生じない。
【００４９】
また、上述したように、アラーム信号が入力された場合のみにウィンドウによりアラームをパソコン３００の出力表示画面上に表示して注意を喚起し、ユーザ自身が合成処理の実行の切り替えスイッチを操作してパソコン３００の出力表示画面から合成画面に移行することにより、ユーザは通常はパソコン操作に専念し、機器に異常が発生したときにのみ機器の状態を確認するための制御画面に移行でき、作業の効率化と、アラームの確認遅れによるトラブル回避にも役立つ。
【産業上の利用可能性】
【００５０】
以上のように、本発明にかかるプログラマブル表示器は、パソコン等の外部機器を接続して使用する頻度の高い環境下にあるプログラマブル表示器に有用である。
【図面の簡単な説明】
【００５１】
【図１】本発明の実施の形態にかかるプログラマブル表示器の概略構成を示す図である。
【図２−１】パソコンの表示画面の一例を示す図である。
【図２−２】プログラマブル表示器のモニタ・操作画面の一例を示す図である。
【図２−３】パソコンの表示画面とプログラマブル表示器のモニタ・操作画面との合成画面の一例を示す図である。
【図３−１】パソコンの表示画面の一例を示す図である。
【図３−２】プログラマブル表示器のモニタ・操作画面の一例を示す図である。
【図３−３】パソコンの表示画面とプログラマブル表示器のモニタ・操作画面との合成画面の一例を示す図である。
【符号の説明】
【００５２】
１００  プログラマブル表示器
１０１  タッチパネル
１０２  外部入出力部
１０３  画面設定データ記憶部
１０４  ＲＧＢ信号入力部
１０５  入力表示制御部
１０６  描画コントローラ部
１０７  画像メモリ
１０８  ＬＣＤ（Liquid Crystal Display）
２００  外部制御装置
３００  パソコン
４０１  透過色領域
４０２  表示部品
４０３  スイッチ類
４１０  表示部品
【図１】
2007233459.tif 000003
【図２−１】
2007233459.tif 000004
【図２−２】
2007233459.tif 000005
【図２−３】
2007233459.tif 000006
【図３−１】
2007233459.tif 000007
【図３−２】
2007233459.tif 000008
【図３−３】
2007233459.tif 000009